(57)【要約】      （修正有）【課題】積層された紙のずれを防いで搬送することができる紙分離搬送装置を提供する。【解決手段】紙分離搬送装置Ｐは、台１上に積層された紙２の上方に位置する紙から所定枚数に分離した紙２１を前記台上から送り出す送り出し部材３と、この送り出し部材３により送り出される所定枚数に分離した紙２１を保持して移行させる保持移行部材６と、この保持移行部材６により保持して移行された所定枚数に分離した紙２１を載せて搬送する搬送部４と、搬送部４と積層された紙２との間に位置し、所定枚数に分離した紙２１の上から電界をかける一方の電極部７１と、この一方の電極部７１に対向すると共に、所定枚数に分離した紙２１の下面に当接する位置に設けられた他方の電極部７２と、一方の電極部７１と他方の電極部７２で電界をかけられた所定枚数に分離した紙２１を搬送部４により搬送するものである。【選択図】図１
2007168953.tif 000002
【特許請求の範囲】
【請求項１】
台上に積層された紙の上方に位置する紙から所定枚数に分離した紙を前記台上から送り出す送り出し部材と、
この送り出し部材により送り出される前記所定枚数に分離した紙を保持して移行させる保持移行部材と、
この保持移行部材により保持して移行された前記所定枚数に分離した紙を載せて搬送する搬送部と、
前記所定枚数に分離した紙の上方であって、平面視、前記搬送部と前記積層された紙との間に位置し、送り出される前記所定枚数に分離した紙の上から電界をかける一方の電極部と、
この一方の電極部に対向すると共に、前記所定枚数に分離した紙の下面に当接する位置に設けられた他方の電極部と、
前記一方の電極部と前記他方の電極部で電界をかけられた前記所定枚数に分離した紙を前記搬送部により搬送する
ことを特徴とする紙分離搬送装置。
【請求項２】
台上に積層された紙の上方に位置する紙から送り出される所定枚数に分離した紙を保持して移行させる保持移行部材と、
この保持移行部材により保持して移行された前記所定枚数に分離した紙を載せて搬送する搬送部と、
前記所定枚数に分離した紙の上方であって、平面視、前記搬送部と前記積層された紙との間に位置し、送り出される前記所定枚数に分離した紙の上から電界をかける一方の電極部と、
この一方の電極部に対向すると共に、前記所定枚数に分離した紙の下面に当接する位置に設けられた他方の電極部と、
前記一方の電極部と前記他方の電極部で電界をかけられた前記所定枚数に分離した紙を前記搬送部により搬送する
ことを特徴とする紙分離搬送装置。
【請求項３】
台上に積層された紙の上方に位置する紙から所定枚数に分離した紙を前記台上から送り出す送り出し工程と、
この送り出し工程で送り出される前記所定枚数に分離した紙を保持して搬送部へ移行させる移行工程と、
この移行工程の途中において、送り出される前記所定枚数に分離した紙の上から電界をかける電界工程と、
この電界工程で電界をかけられた前記所定枚数に分離した紙を搬送する搬送工程とを
備えていることを特徴とする紙分離搬送方法。
【請求項４】
台上に積層された紙の上方に位置する紙から送り出される所定枚数に分離した紙を保持して搬送部へ移行させる移行工程と、
この移行工程の途中において、送り出される前記所定枚数に分離した紙の上から電界をかける電界工程と、
この電界工程で電界をかけられた前記所定枚数に分離した紙を搬送する搬送工程とを
備えていることを特徴とする紙分離搬送方法。
【発明の詳細な説明】
【技術分野】
【０００１】
本発明は、紙分離搬送装置及び紙分離搬送方法に係り、特に、積層された紙のずれを防いで搬送することができる紙分離搬送装置及び紙分離搬送方法に関する。
【背景技術】
【０００２】
従来、例えば、平版包装にあっては、積層された紙から所定枚数に分離した紙を前記積層された紙からベルトコンベアへ移行するようにしている（特許文献１参照）。
そして、積層された紙のずれをなくすように、ベルトコンベアと押さえパットで積層された紙を挟持するようにしている。
【特許文献１】特公昭６３−５１９３４号公報
【発明の開示】
【発明が解決しようとする課題】
【０００３】
しかしながら、上述の平版包装にあっては、ベルトコンベアと押さえパットで積層された紙を挟持するようにしているため、ベルトコンベアと押さえパットで積層された紙を挟持している間は、支障はないが、押さえパットが積層された紙から離間した後の搬送部（例えば、ベルトコンベア）において、搬送部（例えば、ベルトコンベア）の急停止等による速度変化により積層された紙がずれるという問題点があった。
本発明は、上記問題点を除去するようにした紙分離搬送装置及び紙分離搬送方法を提供するものである。
【課題を解決するための手段】
【０００４】
上記目的を達成するために、請求項１記載の紙分離搬送装置は、台上に積層された紙の上方に位置する紙から所定枚数に分離した紙を前記台上から送り出す送り出し部材と、この送り出し部材により送り出される前記所定枚数に分離した紙を保持して移行させる保持移行部材と、この保持移行部材により保持して移行された前記所定枚数に分離した紙を載せて搬送する搬送部と、前記所定枚数に分離した紙の上方であって、平面視、前記搬送部と前記積層された紙との間に位置し、送り出される前記所定枚数に分離した紙の上から電界をかける一方の電極部と、この一方の電極部に対向すると共に、前記所定枚数に分離した紙の下面に当接する位置に設けられた他方の電極部と、前記一方の電極部と前記他方の電極部で電界をかけられた前記所定枚数に分離した紙を前記搬送部により搬送するものである。
【０００５】
また、請求項２記載の紙分離搬送装置は、台上に積層された紙の上方に位置する紙から送り出される所定枚数に分離した紙を保持して移行させる保持移行部材と、この保持移行部材により保持して移行された前記所定枚数に分離した紙を載せて搬送する搬送部と、前記所定枚数に分離した紙の上方であって、平面視、前記搬送部と前記積層された紙との間に位置し、送り出される前記所定枚数に分離した紙の上から電界をかける一方の電極部と、この一方の電極部に対向すると共に、前記所定枚数に分離した紙の下面に当接する位置に設けられた他方の電極部と、前記一方の電極部と前記他方の電極部で電界をかけられた前記所定枚数に分離した紙を前記搬送部により搬送するものである。
【０００６】
また、請求項３記載の紙分離搬送方法は、台上に積層された紙の上方に位置する紙から所定枚数に分離した紙を前記台上から送り出す送り出し工程と、この送り出し工程で送り出される前記所定枚数に分離した紙を保持して搬送部へ移行させる移行工程と、この移行工程の途中において、送り出される前記所定枚数に分離した紙の上から電界をかける電界工程と、この電界工程で電界をかけられた前記所定枚数に分離した紙を搬送する搬送工程とを備えているものである。
【０００７】
また、請求項４記載の紙分離搬送方法は、台上に積層された紙の上方に位置する紙から送り出される所定枚数に分離した紙を保持して搬送部へ移行させる移行工程と、この移行工程の途中において、送り出される前記所定枚数に分離した紙の上から電界をかける電界工程と、この電界工程で電界をかけられた前記所定枚数に分離した紙を搬送する搬送工程とを備えているものである。
【発明の効果】
【０００８】
請求項１記載の紙分離搬送装置によれば、所定枚数に分離した紙は、一方の電極部と他方の電極部で電界をかけられるため、所定枚数に分離した紙中の当接する相対向する面の紙は、電気的に互いに異なる極性により密着し、搬送部において、所定枚数に分離した紙のずれを防いで搬送することができる。
【０００９】
また、請求項２記載の紙分離搬送装置によれば、所定枚数に分離した紙は、一方の電極部と他方の電極部で電界をかけられるため、所定枚数に分離した紙中の当接する相対向する面の紙は、電気的に互いに異なる極性により密着し、搬送部において、所定枚数に分離した紙のずれを防いで搬送することができる。
【００１０】
また、請求項３記載の紙分離搬送方法によれば、所定枚数に分離した紙は、電界工程において、一方の電極部と他方の電極部で電界をかけられるため、所定枚数に分離した紙中の当接する相対向する面の紙は、電気的に互いに異なる極性により密着し、搬送部において、所定枚数に分離した紙のずれを防いで搬送することができる。
【００１１】
また、請求項４記載の紙分離搬送方法によれば、所定枚数に分離した紙は、電界工程において、一方の電極部と他方の電極部で電界をかけられるため、所定枚数に分離した紙中の当接する相対向する面の紙は、電気的に互いに異なる極性により密着し、搬送部において、所定枚数に分離した紙のずれを防いで搬送することができる。
【実施例】
【００１２】
本発明の一実施例の紙分離搬送装置及び紙分離搬送方法を図面を参照して説明する。
図１乃至図６において、Ｐは紙分離搬送装置で、紙分離搬送装置Ｐは、台１上に積層された紙２の上方に位置する紙から所定枚数（例えば、１リーム約４０枚）に分離した紙２１を台１上から他の工程（例えば、所定枚数に分離した紙を包装する包装工程）へ送り出すものである。
【００１３】
３は、台１上に積層された紙２の上方に位置する紙から所定枚数（例えば、１リーム約４０枚）に分離した紙を台１上から送り出す送り出し部材である。この送り出し部材３は、図示しないが、積層された紙２の側面に所定枚数毎にマーカーが付されたり、又は、所定枚数毎にリームマーカテープ（図示せず）が挟み込まれており、このマーカー（図示せず）又はリームマーカテープ（図示せず）を検知して、送り出し部材３の舌部３１が積層された紙２の中に入ると共に、舌部３１が積層された紙２の中に入った状態で、台１が分離されようとする紙の下面が搬送部４の搬送面と同面になるようにリフター５により上昇する（図１及び図３参照）。
リフター５が上昇した後、送り出し部材３が搬送部４に向かって前進して、台３上に積層された紙２の上方に位置する紙から所定枚数に分離した紙を台３上から送り出す（送り出し工程）。
【００１４】
６は、送り出し部材３により送り出される所定枚数に分離した紙２１を保持して移行させる保持移行部材で、保持移行部材６は、送り出し工程で送り出される所定枚数に分離した紙２１を保持して搬送部４へ移行させる（移行工程）もので、例えば、対向する二部材の間に所定枚数に分離した紙２１が位置すると、一方の部材が下降し、所定枚数に分離した紙２１の上面に当接して該紙２１を保持し、対向する部材共に水平方向に移動し、所定の距離移動した後、紙２１の上面に当接した一方の部材が上昇し、紙２１の保持を解除するものである。
４は、保持移行部材６により保持して移行された所定枚数に分離した紙２１を載せて台１上に積層された紙２から離間するように搬送する搬送部で、搬送部４は、後述する電界工程（電界部７）で電界をかけられた紙を搬送する（搬送工程）もので、例えば、ベルトコンベヤで、搬送部４の上に保持移行部材６が位置するようになっている。
【００１５】
７は、所定枚数に分離した紙２１の上方に位置し、移行工程の途中において、送り出される所定枚数に分離した紙２１の上から電界をかける電界工程を行う電界部で、電界部７は、電界をかける一方の電極部７１と、この一方の電極部７１に対向すると共に、所定枚数に分離した紙２１の下面に当接する位置に設けられた他方の電極部７２とを有する。
送り出される所定枚数に分離した紙２１の上から電界をかける一方の電極７１は、所定枚数の積層された紙２の上方であって、平面視、図２に示すように、搬送部４と積層された紙２との間に位置している。
一方の電極部７１と他方の電極部７２との間に電圧がかけられると、一方の電極部７１と他方の電極部７２との間に電界が生じ、一方の電極部７１と対向する所定枚数（例えば、１リーム約４０枚）に分離した紙２１の上面の紙は、例えば、プラスであり、他方の電極部７２に当接する所定枚数（例えば、１リーム約４０枚）に分離した紙２１の下面の紙は、例えば、マイナスとなり、一方の電極部５１と対向する所定枚数（例えば、１リーム約４０枚）に分離した紙２１の上面の紙の裏面は、マイナス、該裏面と対向する紙の面は、プラスとなる。つまり、当接する相対向する面の紙は電気的に互いに異なる極性により密着することとなる。この極性により所定枚数に分離した紙２１は密着し、ずれを防ぐことができる。
【００１６】
従って、送り出し部材３の舌部３１が積層された紙２の中に入ると共に、台１が分離されようとする紙の下面が搬送部４の搬送面と同面になるようにリフター５により上昇し、その後、送り出し部材３が搬送部４に向かって前進して、送り出し部材３により送り出される所定枚数の積層された紙［所定枚数（例えば、１リーム約４０枚）に分離した紙２１］を保持移行部材６により保持して搬送部４へ移行させる。その際、送り出される紙の上から電界部７で電界をかけられ、電界をかけられた所定枚数（例えば、１リーム約４０枚）に分離した紙２１の当接する相対向する面の紙は電気的に互いに異なる極性により密着し、搬送部４において、積層された紙のずれを防いで、図示しない包装工程へと搬送される。
【００１７】
なお、上述した実施例においては、送り出し部材３により、台１上に積層された紙２の上方に位置する紙から所定枚数（例えば、１リーム約４０枚）に分離した紙を台１上から送り出すようにしたが、場合により、送り出し部材３によらず、人為的に行っても良い。    かかる場合、紙分離搬送方法は、台１上に積層された紙２の上方に位置する紙から送り出される所定枚数に分離した紙２１を保持して搬送部４へ移行させる移行工程と、この移行工程の途中において、送り出される所定枚数に分離した紙２１の上から電界をかける電界工程と、この電界工程で電界をかけられた前記所定枚数に分離した紙を搬送する搬送工程とを備えていることとなる。
【図面の簡単な説明】
【００１８】
【図１】図１は、本発明の一実施例の紙分離搬送装置の概略的側面図である。
【図２】図２は、図１の紙分離搬送装置の概略的平面図である。
【図３】図３は、図１の紙分離搬送装置の動きを説明するためのもので、分離された積層された紙が搬送部へ移行途中の概略的側面図である。
【図４】図４は、図３の一部を拡大して示す概略的一部拡大側面図である。
【図５】図５は、図３の紙分離搬送装置の動きを説明するためのもので、分離された積層された紙が搬送部へ移行後の概略的側面図である。
【図６】図６は、図５の紙分離搬送装置の動きを説明するためのもので、保持移行部材が分離された積層された紙から離間した状態の概略的側面図である。
【符号の説明】
【００１９】
Ｐ    ・・・・・紙分離搬送装置
１    ・・・・・台
２    ・・・・・積層された紙
３    ・・・・・送り出し部材
４    ・・・・・搬送部
６    ・・・・・保持移行部材
７１  ・・・・・一方の電極部
７２  ・・・・・他方の電極部
【図１】
2007168953.tif 000003
【図２】
2007168953.tif 000004
【図３】
2007168953.tif 000005
【図４】
2007168953.tif 000006
【図５】
2007168953.tif 000007
【図６】
2007168953.tif 000008